(57)【要約】【課題】限られたスペースで種々の撮影をすることができ、かつ防振効果をもたせる。【解決手段】先に臥位撮影を行ってその後立位撮影を行う場合、倒されていた天板３４は、ヒンジ３５により回動され、直立した状態になる。直立した状態の天板３４には、被検者の胸部を当接させることができ、立位撮影をすることができる。一方、先に立位撮影を行ってその後臥位撮影を行う場合、直立していた天板３４は、ヒンジ３５により回動され、倒された状態になる。倒された状態の天板３４には、被検者が寝かせられ、臥位での撮影をすることができる。【選択図】図１
2011024919.tif 000002
【特許請求の範囲】
【請求項１】
放射線発生器からの放射線を検出する放射線検出器と、
前記放射線検出器を臥位撮影位置及び立位撮影位置の間で移動可能に保持する保持手段と、
臥位撮影時に被検者が寝かせられる天板と、
立位撮影時に前記放射線検出器又は前記保持手段を保護するために、前記天板を前記放射線検出器又は前記保持手段の近傍に直立させる直立手段とを備えたことを特徴とする放射線撮影システム。
【請求項２】
前記保持手段は、前記放射線検出器を上下方向に移動可能に、かつ水平軸回りに回動可能に保持することを特徴とする請求項１に記載の放射線撮影システム。
【請求項３】
前記天板は、立位撮影時に前記放射線検出器の検出面側に配置され、撮影部位が当接される当接板として使用されることを特徴とする請求項１又は２に記載の放射線撮影システム。
【請求項４】
前記天板は、立位撮影時に撮影部位の位置決めをするために、被検者の体が宛がわれる凹部を有していることを特徴とする請求項３に記載の放射線撮影システム。
【請求項５】
立位撮影時に前記天板に撮影部位が当接されていることを検知する検知器を備えたことを特徴とする請求項３又は４に記載の放射線撮影システム。
【請求項６】
立位撮影時に前記天板を昇降可能とする昇降機構を備えたことを特徴とする請求項３〜５のいずれかに記載の放射線撮影システム。
【請求項７】
前記直立手段は、前記天板を水平軸回りに回動させる回動機構であることを特徴とする請求項３〜６のいずれかに記載の放射線撮影システム。
【請求項８】
前記直立手段は、前記回動機構に加え、前記天板をその長手方向の途中で折曲げ可能とする折曲げ機構を備えたことを特徴とする請求項７に記載の放射線撮影システム。
【請求項９】
前記天板は、立位撮影時に前記放射線検出器の検出面とは反対側に配置されることを特徴とする請求項１又は２に記載の放射線撮影システム。
【請求項１０】
直立した前記天板を、立位撮影時に前記放射線検出器又は前記保持手段と接続することで前記保持手段を支える支持手段を備えたことを特徴とする請求項９に記載の放射線撮影システム。
【発明の詳細な説明】
【技術分野】
【０００１】
本発明は、臥位及び立位での撮影に放射線検出器を兼用した放射線撮影システムに関する。
【背景技術】
【０００２】
今や殆どの病院に普及しているＸ線（放射線）撮影システムは、被検者に向けてＸ線を曝射するＸ線発生器、被検者を透過したＸ線を検出するＸ線検出器などを備え、レントゲン室などに設置される。レントゲン室は、その周囲が鉛で覆われており、Ｘ線が室外に漏洩することが防止されている。
【０００３】
Ｘ線撮影には、大きく分けて臥位及び立位での撮影がある。各々の撮影には一長一短があり、目的に応じて使い分けることが望ましい。しかし、各々の撮影のために複数の撮影システムを設置するには、多大なスペースを必要とする。このため、規模の小さいクリニックでは、十分なスペースを確保できず、複数の撮影システムを設置することができない。
【０００４】
一方、スペースを確保できる大型病院であれば、複数の撮影システムを設置することができる。しかし、大型病院であっても、敷設コストを抑えるために、レントゲン室を小さくしたり、レントゲン室の数を少なくしたりすることが望まれる。
【０００５】
そこで、臥位及び立位での撮影に放射線検出器を兼用する撮影システム（特許文献１、２及び非特許文献１参照）を一つのレントゲン室にまとめて設置すれば、限られたスペースで、臥位及び立位での撮影が可能となる。
【０００６】
特許文献１では、臥位撮影時に被検者が寝かせられる天板に固定された放射線検出器が、立位撮影時に天板とともに起立する。天板の起立により、臥位での撮影スペースを、立位での撮影スペースとして使用することができる。
【０００７】
非特許文献１及び特許文献２には、天井懸垂式の放射線検出器が記載されている。これらの放射線検出器は、水平方向に移動可能なアームによって天井から吊り下げられている。アームは、高さ方向に伸縮可能となっている。
【先行技術文献】
【特許文献】
【０００８】
【特許文献１】特開２００３−２５０７８８号公報
【特許文献２】特開２００７−２２２４１２号公報
【非特許文献】
【０００９】
【非特許文献１】“AXIOM Aristos FX Plus”、［online］、シーメンス旭メディテック株式会社、［平成２１年７月１４日検索］、インターネット（ＵＲＬ：http://www.medical.siemens.com/webapp/wcs/stores/servlet/ProductDisplay~q_catalogId~e_-10~a_catTree~e_100010,1007660,12759,14283~a_langId~e_-10~a_productId~e_16769~a_storeId~e_10001.htm）
【発明の概要】
【発明が解決しようとする課題】
【００１０】
しかし、特許文献１の撮影システムでは、放射線検出器が天板に固定されており、放射線検出器の高さ調節を行うことができない。このため、限られた条件（例えば、臥位では５００ｍｍ〜８００ｍｍ程度の高さ、立位では１０００ｍｍ前後の高さ）での撮影しかすることができない。例えば、立位での膝関節の撮影や、車椅子に乗ったままの撮影をすることはできない。
【００１１】
一方、非特許文献１及び特許文献２の撮影システムによれば、放射線検出器が天板に固定されていないので、放射線検出器の高さ調節が可能であり、種々の撮影に対応することができる。
【００１２】
ところで、立位撮影時の放射線検出器は、被検者を支える部材として機能する必要があり、被験者の安全面からも強固に支持されていることが求められる。しかし、非特許文献１及び特許文献２の撮影システムでは、放射線検出器は、アームの先端に片持ち支持されているため、強固に支持されているとはいえない。また、放射線検出器に被検者の体重が掛かり、放射線検出器が振動することが懸念される。放射線検出器が振動した場合には、正確な画像が得られなくなる。
【００１３】
特許文献２の撮影システムでは、アームから床面に伸びたパイプが、アーム駆動時の防振機能を果しているように見える。しかし、そのパイプは、アームの先端に設けられたものでなく、片持ち支持された放射線検出器を強固に支持しているとはいえない。したがって、放射線検出器を片持ち支持していることに変わりはなく、防振効果は低いものと考えられる。
【００１４】
本発明は、上記課題を鑑みてなされたものであり、限られたスペースで種々の撮影をすることができ、かつ防振効果を有する放射線撮影システムを提供することを目的とする。
【課題を解決するための手段】
【００１５】
上記目的を達成するために、本発明の放射線撮影システムは、放射線発生器からの放射線を検出する放射線検出器と、前記放射線検出器を臥位撮影位置及び立位撮影位置の間で移動可能に保持する保持手段と、臥位撮影時に被検者が寝かせられる天板と、立位撮影時に前記放射線検出器又は前記保持手段を保護するために、前記天板を前記放射線検出器又は前記保持手段の近傍に直立させる直立手段とを備えたことを特徴とする。
【００１６】
前記保持手段は、前記放射線検出器を上下方向に移動可能に、かつ水平軸回りに回動可能に保持することが好ましい。
【００１７】
前記天板は、立位撮影時に前記放射線検出器の検出面側に配置され、撮影部位が当接される当接板として使用されることが好ましい。
【００１８】
前記天板は、立位撮影時に撮影部位の位置決めをするために、被検者の体が宛がわれる凹部を有していることが好ましい。
【００１９】
また、立位撮影時に前記天板に撮影部位が当接されていることを検知する検知器を備えていることが好ましい。
【００２０】
さらに、立位撮影時に前記天板を昇降可能とする昇降機構を備えていることが好ましい。
【００２１】
前記直立手段は、前記天板を水平軸回りに回動させる回動機構であることが好ましい。
【００２２】
また、前記直立手段は、前記回動機構に加え、前記天板をその長手方向の途中で折曲げ可能とする折曲げ機構を備えていることが好ましい。
【００２３】
前記天板は、立位撮影時に前記放射線検出器の検出面とは反対側に配置されるものであってもよい。
【００２４】
この場合、直立した前記天板を、立位撮影時に前記放射線検出器又は前記保持手段と接続することで前記保持手段を支える支持手段を備えていることが好ましい。
【発明の効果】
【００２５】
本発明の放射線撮影システムによれば、放射線検出器を臥位撮影及び立位撮影に兼用したことで、限られたスペースで種々の撮影をすることができる。また、臥位撮影時に被検者を寝かせる天板を、立位撮影時に直立させ、放射線検出器又はそれを保持する保持手段を保護するようにしたから、放射線検出器に被検者の体重が掛かることによる弊害を防止することができる。なお、放射線検出器の高さ、及び直立させた状態の天板の高さを低く設定することで、立位での膝関節の撮影や、車椅子に乗ったままの撮影をすることができる。
【図面の簡単な説明】
【００２６】
【図１】第１実施形態のＸ線撮影システムを示す外観斜視図であり、（Ａ）は立位撮影時の態様、（Ｂ）は臥位撮影時の態様をそれぞれ示す。
【図２】第１実施形態のＸ線撮影システムの使用状態を示す正面図であり、（Ａ）は立位撮影時の態様、（Ｂ）は臥位撮影時の態様をそれぞれ示す。
【図３】第２実施形態の寝台を示す外観斜視図であり、（Ａ）は立位撮影時の態様、（Ｂ）は臥位撮影時の態様を示す。
【図４】第３実施形態の寝台を示す外観斜視図であり、（Ａ）は立位撮影時の一つ目の態様、（Ｂ）は臥位撮影時の態様、（Ｃ）は立位撮影時の二つ目の態様をそれぞれ示す。
【図５】第４実施形態の寝台を示す外観斜視図であり、（Ａ）は立位撮影時の態様、（Ｂ）は臥位撮影時の態様をそれぞれ示す。
【図６】第５実施形態の寝台を示す外観斜視図であり、（Ａ）はＸ線検出器の固定前の態様、（Ｂ）はＸ線検出器の固定後の態様をそれぞれ示す。
【図７】第６実施形態の掛止部及び掛止突起を示す外観斜視図であり、（Ａ）はＸ線検出器の固定前の態様、（Ｂ）はＸ線検出器の固定後の態様をそれぞれ示す。
【図８】第７実施形態のＸ線撮影システムを示す外観斜視図であり、（Ａ）は立位撮影時の態様、（Ｂ）は臥位撮影時の態様をそれぞれ示す。
【発明を実施するための形態】
【００２７】
［第１実施形態］
図１（Ａ）及び図１（Ｂ）に示すように、第１実施形態のＸ線（放射線）撮影システム１１は、撮影装置１２、移動装置１３、及び寝台１４からなり、病院のレントゲン室に設置される。
【００２８】
撮影装置１２は、Ｘ線発生器１５及びＸ線検出器１６を有する。Ｘ線発生器１５は、Ｘ線を発するＸ線管とＸ線の照射範囲を限定するＸ線可動絞りとからなる。Ｘ線検出器１６の検出面は、被検者の胸部全体をカバーする程度の面積を有している。Ｘ線検出器１６には、例えばイメージングプレート、フラットパネルディテクタなどの周知のものが用いられる。
【００２９】
Ｘ線発生器１５及びＸ線検出器１６は、Ｚ軸（鉛直軸）及び水平軸周りに所定角度回転可能なアーム１７、１８を介して、Ｚ軸方向に伸縮する支柱１９、２０の下端に取り付けられている。アーム１８は、さらに、水平軸方向に伸縮する。Ｘ線発生器１５及びＸ線検出器１６は、アーム１７、１８及び支柱１９、２０によって、ＸＹ平面（水平面）及びＺ軸方向の所望の位置に移動させることができる。
【００３０】
Ｘ線発生器１５及びＸ線検出器１６は、図１（Ａ）で示す立位撮影位置と、図１（Ｂ）で示す臥位撮影位置との間で移動する。立位撮影位置では立位での撮影が可能であり、臥位撮影位置では臥位での撮影が可能である。各撮影位置において、Ｘ線発生器１５をＸ線検出器１６の検出面に対面させることで、撮影が可能となる。このように、Ｘ線発生器１５及びＸ線検出器１６は、臥位及び立位での撮影に兼用される。
【００３１】
移動装置１３は、Ｘ線発生器１５及びＸ線検出器１６を、ＸＹ平面及びＺ軸方向の所望の位置に移動させるためのものである。移動装置１３は、一対の固定レール２１と二対の可動レール２２、２３、これらに繋がる二対の走行部２４、２５と二台の台車２６、２７、及び上述したアーム１７、１８と支柱１９、２０からなる。
【００３２】
固定レール２１は、その長手方向がＹ軸に沿うようにレントゲン室の天井に固定されている。固定レール２１には、ガイド溝が形成されており、断面が略コの字形状をしている。各固定レール２１は、互いのガイド溝が対向するように配置されている。
【００３３】
可動レール２２は、両端寄りに固定された走行部２４によって、その長手方向がＸ軸に沿うように固定レール２１に移動可能に取り付けられている。可動レール２２には、固定レール２１同様、ガイド溝が形成されている。各可動レール２２は、互いのガイド溝が対向するように配置されている。
【００３４】
各走行部２４は、回転自在なローラ（図示省略）を備えており、このローラが固定レール２１のガイド溝内で回転することにより、固定レール２１に沿って走行する。走行部２４が走行することにより、可動レール２２がＹ軸方向に移動する。
【００３５】
可動レール２３は、可動レール２２と同様の構成であり、走行部２５によって、可動レール２２と平行となるように固定レール２１に移動可能に取り付けられている。
【００３６】
台車２６は、台車本体２８と一対の走行部２９からなる。台車本体２８は、走行部２９によって、可動レール２２に移動可能に取り付けられている。各走行部２９は、回転自在なローラ（図示省略）を備えており、このローラが可動レール２２のガイド溝内で回転することにより、可動レール２２に沿って走行する。走行部２９が走行することにより、台車本体２８がＸ軸方向に移動する。
【００３７】
台車２７は、台車２６と同様、台車本体３０と一対の走行部３１からなり、台車本体３０は、走行部３１によって、可動レール２３に移動可能に取り付けられている。
【００３８】
台車２６には、台車本体２８に支柱１９が固定されることによりＸ線発生器１５が搭載され、台車２７には、台車本体３０に支柱２０が固定されることによりＸ線検出器１６が搭載される。
【００３９】
Ｘ線発生器１５は、台車２６を介して可動レール２２に移動可能に保持されており、台車２６の移動によりＸ軸方向に移動する。また、Ｘ線発生器１５は、可動レール２２の移動によりＹ軸方向に移動し、支柱１９の伸縮によりＺ軸方向に移動する。さらに、Ｘ線発生器１５は、アーム１７による各軸回りの回動により照射角度が変化する。
【００４０】
Ｘ線検出器１６は、台車２７を介して可動レール２３に移動可能に保持されており、台車２７の移動によりＸ軸方向に移動する。また、Ｘ線検出器１６は、可動レール２３の移動によりＹ軸方向に移動し、支柱２０の伸縮によりＺ軸方向に移動する。さらに、Ｘ線検出器１６は、アーム１８による各軸回りの回動により検出角度が変化する。このように、移動装置１３は、Ｘ線検出器１６を上下方向に移動可能に、かつ水平軸回りに回動可能に保持する保持手段として機能する。
【００４１】
Ｘ線発生器１５には、操作部３２が設けられている。操作部３２は、Ｘ線発生器１５の姿勢や位置を変化させるためのハンドルと、各種の操作ボタンが設けられた操作パネルとを有する。Ｘ線発生器１５の回転や移動は、ハンドルの操作により手動で行われる。
【００４２】
操作パネルには、ブレーキ解除ボタンなどの操作ボタンが設けられている。ブレーキは、Ｘ線発生器１５を任意の角度で停止させたり、移動装置１３による移動を規制したりする。ブレーキは、ブレーキ解除ボタンが押下されている間解除される。ブレーキが解除されると、Ｘ線発生器１５の回転や移動が許容される。
【００４３】
アーム１８には、操作部３３が設けられている。操作部３３は、操作部３２と同様、ハンドルと操作パネルとを有する。Ｘ線検出器１６の回転や移動は、ハンドルの操作により手動で行われる。操作部３３の操作パネルには、操作部３２の操作パネルと同様、ブレーキ解除ボタンなどの操作ボタンが設けられている。
【００４４】
寝台１４は、天板３４、ヒンジ３５、及び脚部３６からなる。天板３４は、長手方向の軸回り（Ｘ軸回り）に回動可能なヒンジ３５を介して、脚部３６に取り付けられている。ヒンジ３５は、図１（Ａ）で示す立位撮影位置と図１（Ｂ）で示す臥位撮影位置との間で天板３４を回動させる。つまり、ヒンジ３５は、天板３４を水平軸回りに回動させる回動機構として機能する。なお、天板３４の回動は、手動で行われる。
【００４５】
天板３４は、立位撮影位置では直立しており、Ｘ線検出器１６の前方（被検者側）に配置され、胸部などの撮影部位が当接される当接板として使用される。当接板として使用される天板３４は、Ｘ線検出器１６及びそれを保持する移動機構１３に被検者の体重が掛かることを防止する。つまり、回動機構として機能するヒンジ３５は、立位撮影時に、Ｘ線検出器１６及び移動機構１３を天板３４で保護するために、天板３４を直立させる直立手段として機能する。一方、天板３４は、臥位撮影位置では水平に倒され、被検者が寝かせられる。
【００４６】
天板３４は、略凸の字形状をしている。臥位撮影位置では、Ｙ軸方向（長手方向）に被検者が寝かせられる（図２（Ｂ）参照）。立位撮影位置では、長手方向の途中から突出する箇所に被検者の胸部が当接される（図２（Ａ）参照）。天板３４には、胸部を当接させる被検者のアゴや腕が宛がわれる凹部３７が形成されている。被検者は、各凹部３７にアゴ及び腕を宛がうことで、立位撮影時に撮影部位である胸部の位置決めをすることができる。
【００４７】
各凹部３７には、被検者を検知する検知器（図示省略）が設けられている。検知器が被検者を検知することで、天板３４に撮影部位である胸部が当接されていることを検知する。各検知器には、例えば赤外線センサやタッチセンサなどの周知のものが用いられる。
【００４８】
脚部３６は、Ｚ軸方向に伸縮する。脚部３６が伸縮することで、天板３４は昇降する。つまり、脚部３６は、天板３４を昇降可能とする昇降機構として機能する。なお、立位撮影時における天板３４の昇降は、被検者の身長に合わせて行われる。脚部３６の伸縮は、モータなどを利用して電動で行われることが好ましい。
【００４９】
レントゲン室と隣接するオペレイティングルーム（図示省略）には、撮影装置１２を操作するための端末（図示省略）が設置されている。レントゲン室とオペレイティングルールとは、含鉛ガラス製の窓で仕切られており、医師や診療放射線技師は、窓越しにレントゲン室内の様子を伺いながら端末を操作することができる。
【００５０】
端末には、モニターランプ（図示省略）が設けられている。モニターランプは、点灯することで、当接板として使用されている天板３４に胸部が当接されていることを報知する。モニターランプの点灯は、天板３４に設けられた検知器からの検知信号に基づいて行われる。
【００５１】
次に、寝台１４の作用について、図２（Ａ）及び図２（Ｂ）を参照しながら説明する。まず、先に臥位撮影を行ってその後立位撮影を行う場合、倒されていた天板３４（図２（Ｂ）参照）は、ヒンジ３５により回動され、直立した状態になる（図２（Ａ）参照）。直立した状態の天板３４には、被検者の胸部を当接させることができる。
【００５２】
被検者が天板３４に胸部を当接するために、天板３４に設けられた凹部３７にアゴ及び腕を宛がうと、アゴ及び腕が宛がわれたことが凹部３７に設けられた検知器（図示省略）によって検知される。アゴ及び腕が宛がわれたことが検知されると、オペレイティングルームの端末に設けられたモニターランプが点灯する。医師や診療放射線技師は、モニターランプの点灯により、天板３４に胸部が当接されていることを把握し、立位での撮影をすることができる。
【００５３】
一方、先に立位撮影を行ってその後臥位撮影を行う場合、直立していた天板３４（図２（Ａ）参照）は、ヒンジ３５により回動され、倒された状態になる（図２（Ｂ）参照）。倒された状態の天板３４には、被検者が寝かせられ、臥位での撮影をすることができる。
【００５４】
以上説明したように、直立させた天板３４をＸ線検出器１６の前方に配置させ、天板３４を胸部などの撮影部位が当接される当接板として使用したので、Ｘ線検出器１６及びそれを保持する移動機構１３に被検者の体重が掛かることが防止される。これにより、Ｘ線検出器１６が振動することで正確な画像が得られなくなるという問題が防止される。
【００５５】
［第２実施形態］
第２実施形態のＸ線撮影システムは、第１実施形態の寝台１４に代えて、図３（Ａ）及び図３（Ｂ）に示す寝台４１を備えている。寝台４１は、天板４２、ヒンジ３５、及び脚部３６からなる。天板４２は、短手方向の軸回りに回動可能なヒンジ３５を介して、脚部３６に取り付けられている。ヒンジ３５は、図３（Ａ）で示す立位撮影位置と図３（Ｂ）で示す臥位撮影位置との間で天板４２を回動させる。なお、第１実施形態と同様の構成、及び作用についての説明は省略する。また、説明に不要な構成の図示は省略している。
【００５６】
このように、短手方向の軸回りに天板４２を回動させたことで、長手方向の軸回りに回動させた場合と比較して高い位置で立位撮影を行うことができる。
【００５７】
［第３実施形態］
第３実施形態のＸ線撮影システムは、第２実施形態の寝台４１に代えて、図４（Ａ）、図４（Ｂ）及び図４（Ｃ）に示す寝台５１を備えている。寝台５１は、天板５２、ヒンジ３５、及び脚部３６からなる。ヒンジ３５は、図４（Ａ）で示す第一の立位撮影位置と図４（Ｂ）で示す臥位撮影位置との間で天板５２を回動させる。
【００５８】
天板５２は、天板上部５３、天板下部５４、及びヒンジ５５からなる。天板下部５４には、その一端側に、ヒンジ３５を介して脚部３６が取り付けられている。また、天板下部５４には、脚部３６が取り付けられた側の反対側に、天板５２の短手方向の軸回りに回動可能なヒンジ５５を介して、天板上部５３が取り付けられている。
【００５９】
ヒンジ５５は、図４（Ｂ）で示す臥位撮影位置と図４（Ｃ）で示す第二の立位撮影位置との間で天板上部５３を回動させる。第二の立位撮影位置では、図４（Ａ）で示す第一の立位撮影位置と比較して、低い高さで撮影することができる。天板上部５３の回動により、天板５２は、その長手方向の途中で折り曲げられる。つまり、ヒンジ５５は、天板５２をその長手方向の途中で折曲げ可能とする折曲げ機構として機能する。なお、第２実施形態と同様の構成、及び作用についての説明は省略する。また、説明に不要な構成の図示は省略している。
【００６０】
このように、天板５２を、その長手方向の途中で折曲げ可能としたことで、異なる高さ（例えば、大人用の高さと子供用の高さ）で立位撮影を行うことができる。
【００６１】
［第４実施形態］
図５（Ａ）及び図５（Ｂ）に示すように、第４実施形態のＸ線撮影システムは、第１実施形態の寝台１４に代えて、寝台６１を備えている。寝台６１は、天板６２、ヒンジ３５、及び脚部３６からなる。天板６２は、その寝台面が矩形状をしている。ヒンジ３５は、図５（Ａ）で示す立位撮影位置と図５（Ｂ）で示す臥位撮影位置との間で天板６２を回動させる。
【００６２】
天板６２は、立位撮影位置では直立しており、Ｘ線検出器１６の後方（被検者側とは反対の側）に配置される。立位撮影時には、Ｘ線検出器１６を保持するアーム１８が、直立した天板６２に接触する位置、あるいは僅かな隙間を空けた位置となるようにする。被検者は、立位撮影では、Ｘ線検出器１６の検出面に胸部を当接させる。なお、第１実施形態と同様の構成、及び作用についての説明は省略する。また、説明に不要な構成の図示は省略している。
【００６３】
このように、天板６２をＸ線検出器１６の後方に配置するようにしたことで、天板６２が、アーム１８や支柱２０とともに、Ｘ線検出器１６に掛かる被検者の体重を支えることになる。これにより、Ｘ線検出器１６が振動することで正確な画像が得られなくなるという問題が防止される。
【００６４】
［第５実施形態］
第５実施形態のＸ線撮影システムは、第４実施形態の寝台６１に代えて、図６（Ａ）及び図６（Ｂ）に示す寝台７１を備えている。寝台７１は、天板６２のＸ線検出器１６が位置する側に、掛止部７３が設けられている。掛止部７３には、鉛直方向に延びたスリット７２が形成されている。掛止部７３は、角張ったＣ字型の断面をした柱体であり、ゴムなどの弾性部材で成形されている。この掛止部７３には、Ｘ線検出器１６又はアーム１８（図１（Ａ）参照）に設けられた掛止突起７４が挿入される。掛止部７３に掛止突起７４が挿入されることで、Ｘ線検出器１６が寝台７１に固定される。なお、第４実施形態と同様の構成、及び作用についての説明は省略する。また、説明に不要な構成の図示は省略している。
【００６５】
これにより、Ｘ線検出器１６の振動がさらに防止される。このように、掛止部７３及び掛止突起７４は、天板６２とＸ線検出器１６又はアーム１８とを接続することでアーム１８を支える支持手段として機能する。なお、掛止部７３は、鉛直方向に延びたスリット７２を有しているが、複数の高さでＸ線検出器１６又はアーム１８を掛止することができればよく、掛止突起７４が引っ掛かる複数の掛止部を鉛直方向に並べて配置するようにしてもよい。
【００６６】
［第６実施形態］
第６実施形態のＸ線撮影システムは、第５実施形態の掛止部７３に代えて、図７（Ａ）及び図７（Ｂ）に示す掛止部８１を備えている。掛止部８１は、断面が略コの字形状をした一対の柱体８２で構成される。各柱体８２は、コの字形状の溝を互いに対面させるように配置されている。各柱体８２は、モータなどで構成される駆動装置（図示省略）によって、互いに近付く方向及び互いに遠ざかる方向に移動される。
【００６７】
図７（Ａ）に示すように、掛止突起７４を各柱体８２の間に配置させてから駆動装置を駆動させ、各柱体８２を互いに近付ける。各柱体８２が互いに近付くことで、各柱体８２は係止部７４を挟み込む。これにより、天板６２にＸ線検出器１６又はアーム１８が掛止される。なお、第５実施形態と同様の構成、及び作用についての説明は省略する。また、説明に不要な構成の図示は省略している。なお、天板６２にＸ線検出器１６又はアーム１８が固定される構成であれば、第５及び第６実施形態の構成に限定されることはない。例えば、マグネットやベルトで固定される構成であってもよい。
【００６８】
なお、上記各実施形態では、Ｘ線検出器１６が、天井吊下げ式の移動装置１３に保持されている場合を例に説明したが、Ｘ線検出器１６は、床面を移動するスタンド、あるいは壁面から突き出た支柱に保持されていてもよい。
【００６９】
［第７実施形態］
さらに、次に説明するように、Ｘ線検出器１６は、Ｃ型アームに固定されていてもよい。図８（Ａ）及び図８（Ｂ）に示すように、第７実施形態のＸ線撮影システムは、第１実施形態の移動装置１３に代えて、移動装置９１を備えている。移動装置９１は、床面から延びるスタンド９２、スタンド９２に回動自在に取り付けられたＣ型アーム９３、及びＣ型アーム９３を回動させるヒンジ９４からなる。
【００７０】
Ｃ型アーム９３の各先端部の内側には、Ｘ線発生器１５及びＸ線検出器１６が互いに向き合うように固定されている。ヒンジ９４は、図８（Ａ）で示す立位撮影位置と図８（Ｂ）で示す臥位撮影位置との間でＣ型アームを回動させる。立位撮影位置では、Ｘ線発生器１５及びＸ線検出器１６が水平方向に並ぶ。臥位撮影位置では、Ｘ線発生器１５及びＸ線検出器１６が鉛直方向に並ぶ。
【００７１】
また、第７実施形態のＸ線撮影システムは、第１実施形態の寝台１４に代えて、寝台９５を備えている。寝台９５は、天板９６、ヒンジ３５、及び脚部３６からなる。天板９６は、短手方向の軸回りに回動可能なヒンジ３５を介して、脚部３６に取り付けられている。ヒンジ３５は、図８（Ａ）で示す立位撮影位置と図８（Ｂ）で示す臥位撮影位置との間で天板９６を回動させる。なお、第１実施形態と同様の構成、及び作用についての説明は省略する。
【００７２】
なお、上記各実施形態の寝台は、脚部３６を有し床面に設置されているが、天板を直立させ、かつ昇降させることができればよく、壁面から延びる支柱に、ヒンジ３５を介して天板が固定されるようにしてもよい。この場合、支柱とともに天板を昇降させる昇降機構を、壁面に設ける必要がある。
【００７３】
また、上記各実施形態では、Ｘ線発生器１５及びＸ線検出器１６は、手動で移動されるが、自動で移動するようにしてもよい。自動で移動させる場合、オペレイティングルームの端末で操作することになる。このとき、立位撮影時であれば、上述したモニターランプの点灯状態から、被検者がいないことを確認してから操作することができ、安全である。
【００７４】
寝台に重量センサを設け、重量センサからの検知信号に基づいてモニターランプを点灯させることも可能である。この場合、臥位撮影時であれば、モニターランプの点灯状態から、被検者が寝ていることを確認してから操作することができ、安全である。
【符号の説明】
【００７５】
１１  Ｘ線撮影システム
１２  撮影装置
１３、９１  移動装置
１４、４１、５１、６１、７１、９５  寝台
１５  Ｘ線発生器
１６  Ｘ線検出器
３４、４２、５２、６２、９６  天板
３５  ヒンジ
３６  脚部
３７  凹部
５３  天板上部
５４  天板下部
５５  ヒンジ
７３、８１  掛止部
７４  掛止突起
【図１】
2011024919.tif 000003
【図２】
2011024919.tif 000004
【図３】
2011024919.tif 000005
【図４】
2011024919.tif 000006
【図５】
2011024919.tif 000007
【図６】
2011024919.tif 000008
【図７】
2011024919.tif 000009
【図８】
2011024919.tif 000010